(57)【要約】【課題】全長も外径も大きくすることなく、鍵違い数を多くすることができるシリンダ錠、シリンダ錠用キーを提供する。【解決手段】シリンダ錠１は、タンブラ５が、キーブレード３１の両側に対応して並べて配置されたハーフタンブラの形態となっており、かつ、第１のキーコードを形成する第１の係合部３１ａに係合してスリーブ３との係合が解除される第１のタンブラ５１と、第１のキーコードとは異なる第２のキーコードを形成する第２の係合部３１ｂに係合してスリーブ３との係合が解除される第２のタンブラ５２と、第３のキーコードを形成する第３の係合部３１ｃに係合してスリーブ３との係合が解除される第３のタンブラ５３と、第３のキーコードとは異なる第４のキーコードを形成する第４の係合部３１ｄに係合してスリーブ３との係合が解除される第４のタンブラ５４とが組み合わせて配置されている。【選択図】図１３
2015105491.tif 000002
【特許請求の範囲】
【請求項１】
筒状の被係合部材と、
前記被係合部材内に回転可能に配置されたシリンダと、
シリンダ内に径方向に移動可能に収容され、径方向外方に付勢されて前記被係合部材と係合し、前記シリンダ内への正規キーのキーブレードが挿入されることによって前記被係合部材との係合が解除されるタンブラと、
を備えたシリンダ錠であって、
前記タンブラは、前記キーブレードの両側に対応して並べて配置されたハーフタンブラの形態となっており、かつ、
前記キーブレードの第１の面側に設けられた第１のキーコードを形成する第１の係合部に係合して前記被係合部材との係合が解除される第１のタンブラと、
前記キーブレードの第１の面側に設けられ前記第１のキーコードとは異なる第２のキーコードを形成する第２の係合部に係合して前記被係合部材との係合が解除される第２のタンブラと、
前記キーブレードの第２の面側に設けられた第３のキーコードを形成する第３の係合部に係合して前記被係合部材との係合が解除される第３のタンブラと、
前記キーブレードの第２の面側に設けられ前記第３のキーコードとは異なる第４のキーコードを形成する第４の係合部に係合して前記被係合部材との係合が解除される第４のタンブラと、
が組み合わせて配置されているシリンダ錠。
【請求項２】
シリンダ錠に挿入されるキーブレードを有したシリンダ錠用キーであって、
前記キーブレードの第１の面側に設けられ第１のキーコードを形成する第１の係合部と、
前記キーブレードの第１の面側に設けられ前記第１のキーコードとは異なる第２のキーコードを形成する第２の係合部と、
前記キーブレードの第２の面側に設けられ第３のキーコードを形成する第３の係合部と、
前記キーブレードの第２の面側に設けられ前記第３のキーコードとは異なる第４のキーコードを形成する第４の係合部と、
を備えるシリンダ錠用キー。
【請求項３】
請求項２に記載のシリンダ錠用キーにおいて、
前記第１の係合部及び前記第３の係合部は、前記キーブレードに溝状に形成されており、
前記第２の係合部及び前記第４の係合部は、前記キーブレードの１端部側が開放されて形成されていること、
を特徴とするシリンダ錠用キー。
【発明の詳細な説明】
【技術分野】
【０００１】
本発明は、車両や建物のドア等に使用されるシリンダ錠、シリンダ錠用キーに関するものである。
【背景技術】
【０００２】
車両等に使用されるシリンダ錠としては、例えば、クラッチ機構を有したいわゆるフリーホイール方式や、クラッチ機構を持たない従来からの方式（以下、通常方式）等が用いられている。
【０００３】
例えば、通常方式のシリンダ錠は、内周面に係合溝を備えたホルダと、このホルダ内に回転可能に収容されたシリンダと、このシリンダに出没可能に収容された複数のタンブラ等によって構成されている。
【０００４】
ここで、上記複数のタンブラは、キーの挿入方向に複数並べて配置され、各タンブラには、キーのキー山に係合する係合部がそれぞれ形成され、各タンブラは、キーの挿入方向に対して直交する方向（ホルダの係合溝に係合する方向）に付勢されている。
【０００５】
このような通常方式のシリンダ錠においてキーが挿入されていない状態では、全てのタンブラがホルダの係合溝に係合してシリンダの回転を阻止するために施錠状態が維持される。そして、シリンダに正規のキーが挿入されると、キーに形成された複数のキー山に各タンブラの係合部がそれぞれ係合し、各タンブラが付勢力に抗して径方向内方に移動してシリンダ内に没入する。そして、タンブラのホルダの係合溝との係合が解除されるために解錠状態となり、シリンダの回転が許容される。
【０００６】
一方、フリーホイール方式のシリンダ錠では、通常、キー未挿入時には、外周面からタンブラが突出しているロータ（シリンダ）と、このロータに外装されてタンブラが係合可能なロック溝が形成されているスリーブと、ロータの回転を出力部材に伝達するか否かを切り換えるクラッチ機構とを備えている。
【０００７】
このような構成を有するフリーホイール方式のシリンダ錠では、正規キーがロータ（シリンダ）に挿入されると、タンブラがロータ内に収納されてスリーブのロック溝との係合が解除される。この状態で正規キーを回転させると、スリーブから独立してロータだけが回転し、その回転がクラッチ機構を介して出力部材に伝達される。
【０００８】
一方、フリーホイール方式のシリンダ錠において、不適合キーや工具のドライバ等の不正キーがロータ（シリンダ）に挿入された場合には、タンブラはロータ内に収納されずにスリーブのロック溝と係合したままとなる。この状態で、不正キーでロータを回転させると、スリーブがロータとともに回転することによりクラッチ機構が連結解除されて、ロータの回転が出力部材には伝達されない。その結果、ロータは、スリーブとともに空回りすることになる。
【０００９】
これら通常方式のシリンダ錠、フリーホイール方式のシリンダ錠のいずれの場合であっても、シリンダ錠の鍵違い数（キーの山違い数）は、タンブラの数と各タンブラに形成された係合部の段違い数によって決定される。したがって、鍵違い数を多くするにはタンブラの数と各タンブラに形成された係合部の段違い数を増やせばよい。
【００１０】
しかし、複数のタンブラは、キーの挿入方向に沿って並んで配置されているため、その数を増やすとキー及びシリンダ錠の全長が長くなってしまうという問題が生ずる。また、タンブラに形成された係合部の段違い数を増やすと、タンブラのシリンダ内での径方向の移動量が大きくなり、キーを抜いた状態でのタンブラのシリンダからの突出量が大きくなるため、シリンダ錠の外径が大きくなるという問題が生ずる。
【００１１】
キー及びシリンダ錠の全長を長くせず、外径も大きくせずにシリンダ錠の鍵違い数を増やすために、キーの挿入方向と交差する方向に２つの小型のタンブラであるハーフタンブラを並べて配置し、このタンブラの組をキーの挿入方向に多数並べて配置したシリンダ錠が用いられている（例えば、特許文献１）。
【先行技術文献】
【特許文献】
【００１２】
【特許文献１】特開平９−１００６５９号公報
【発明の概要】
【発明が解決しようとする課題】
【００１３】
ハーフタンブラを用いることにより、シリンダ錠の鍵違い数を増加させることができるが、近年では、さらに多数の鍵違い数が要求されている。
通常のタンブラ及びハーフタンブラのいずれを用いる場合であっても、シリンダ錠に差し込まれるキーの隣り合うキー山の高さが大きく異なると、キー山を繋ぐ傾斜面の傾斜が急になり過ぎてキーの挿入に支障がある。したがって、傾斜面の傾斜角が所定値を超えないようにキーの隣り合うキー山の高さを設定する必要がある。このため、キーの挿入方向において隣り合うタンブラの係合部の段違い（高さの差）にも制約が生じる。例えば、段違い（係合部の高さの差）のタンブラが４種類ある場合、隣り合うタンブラとして３段以上の異なるタンブラを選択することができない等の制約が生ずる。即ち、４種類のタンブラにその係合部の高さの順に１番〜４番の番号を付した場合、１番と４番のタンブラを隣り合わせで配置することができないといった制約が生じる。このように、隣り合うタンブラには、段違いの制約があるためにタンブラの数には自ずと限界があり、結果的に鍵違いの数を多くできないという問題がある。
【００１４】
本発明の課題は、全長も外径も大きくすることなく、鍵違い数を多くすることができるシリンダ錠、シリンダ錠用キーを提供することである。
【課題を解決するための手段】
【００１５】
本発明は、以下のような解決手段により、前記課題を解決する。なお、理解を容易にするために、本発明の実施形態に対応する符号を付して説明するが、これに限定されるものではない。
【００１６】
請求項１の発明は、筒状の被係合部材（３）と、前記被係合部材内に回転可能に配置されたシリンダ（４）と、シリンダ内に径方向に移動可能に収容され、径方向外方に付勢されて前記被係合部材と係合し、前記シリンダ内への正規キー（３０）のキーブレード（３１）が挿入されることによって前記被係合部材との係合が解除されるタンブラ（５）と、を備えたシリンダ錠であって、前記タンブラは、前記キーブレードの両側に対応して並べて配置されたハーフタンブラの形態となっており、かつ、前記キーブレードの第１の面側に設けられた第１のキーコードを形成する第１の係合部（３１ａ）に係合して前記被係合部材との係合が解除される第１のタンブラ（５１）と、前記キーブレードの第１の面側に設けられ前記第１のキーコードとは異なる第２のキーコードを形成する第２の係合部（３１ｂ）に係合して前記被係合部材との係合が解除される第２のタンブラ（５２）と、前記キーブレードの第２の面側に設けられた第３のキーコードを形成する第３の係合部（３１ｃ）に係合して前記被係合部材との係合が解除される第３のタンブラ（５３）と、前記キーブレードの第２の面側に設けられ前記第３のキーコードとは異なる第４のキーコードを形成する第４の係合部（３１ｄ）に係合して前記被係合部材との係合が解除される第４のタンブラ（５４）と、が組み合わせて配置されているシリンダ錠（１）である。
【００１７】
請求項２の発明は、シリンダ錠（１）に挿入されるキーブレード（３１）を有したシリンダ錠用キーであって、前記キーブレードの第１の面側に設けられ第１のキーコードを形成する第１の係合部（３１ａ）と、前記キーブレードの第１の面側に設けられ前記第１のキーコードとは異なる第２のキーコードを形成する第２の係合部（３１ｂ）と、前記キーブレードの第２の面側に設けられ第３のキーコードを形成する第３の係合部（３１ｃ）と、前記キーブレードの第２の面側に設けられ前記第３のキーコードとは異なる第４のキーコードを形成する第４の係合部（３１ｄ）と、を備えるシリンダ錠用キー（３０）である。
【００１８】
請求項３の発明は、請求項２に記載のシリンダ錠用キーにおいて、前記第１の係合部（３１ａ）及び前記第３の係合部（３１ｃ）は、前記キーブレード（３１）に溝状に形成されており、前記第２の係合部（３１ｂ）及び前記第４の係合部（３１ｄ）は、前記キーブレードの１端部側が開放されて形成されていること、を特徴とするシリンダ錠用キー（３０）である。
【発明の効果】
【００１９】
本発明によれば、以下の効果を奏することができる。
【００２０】
（１）本発明のシリンダ錠のタンブラは、キーブレードの両側に対応して並べて配置されたハーフタンブラの形態となっており、かつ、キーブレードの第１の面側に設けられた第１のキーコードを形成する第１の係合部に係合して被係合部材との係合が解除される第１のタンブラと、キーブレードの第１の面側に設けられ前記第１のキーコードとは異なる第２のキーコードを形成する第２の係合部に係合して被係合部材との係合が解除される第２のタンブラと、キーブレードの第２の面側に設けられた第３のキーコードを形成する第３の係合部に係合して被係合部材との係合が解除される第３のタンブラと、キーブレードの第２の面側に設けられ第３のキーコードとは異なる第４のキーコードを形成する第４の係合部に係合して被係合部材との係合が解除される第４のタンブラとが組み合わせて配置されている。よって、本発明のシリンダ錠は、全長及び外径を大きくすることなく、鍵違いの数を飛躍的に増加させることができる。また、鍵違い数を従来と同等にする場合には、より小型化することも可能である。
【００２１】
（２）本発明のシリンダ錠用キーは、キーブレードの第１の面側に設けられ第１のキーコードを形成する第１の係合部と、キーブレードの第１の面側に設けられ第１のキーコードとは異なる第２のキーコードを形成する第２の係合部と、キーブレードの第２の面側に設けられ第３のキーコードを形成する第３の係合部と、キーブレードの第２の面側に設けられ前記第３のキーコードとは異なる第４のキーコードを形成する第４の係合部とを備える。よって、本発明のシリンダ錠用キーは、全長及び幅を大きくすることなく、鍵違いの数を飛躍的に増加させることができるまた、鍵違い数を従来と同等にする場合には、より小型化することも可能である。
【００２２】
（３）本発明のシリンダ錠用キーは、第１の係合部及び第３の係合部は、キーブレードに溝状に形成されており、第２の係合部及び第４の係合部は、キーブレードの１端部側が開放されて形成されている。よって、本発明のシリンダ錠用キーは、４つのキーコードを無理なく配置することが可能であり、シリンダ錠用キーを小型に形成できる。
【図面の簡単な説明】
【００２３】
【図１】本発明によるシリンダ錠の実施形態を示す分解図である。
【図２】キー未挿入時におけるシリンダをスリーブ未装着状態で示した前側斜視図である。
【図３】キー未挿入時におけるシリンダをスリーブ装着状態で示した前側斜視図である。
【図４】正規キー挿入時におけるシリンダをスリーブ未装着状態で示した前側斜視図である。
【図５】正規キー挿入時におけるシリンダをスリーブ装着状態で示した前側斜視図である。
【図６】キー未挿入時におけるシリンダをスリーブ装着状態で示した側面図である。
【図７】正規キー挿入時におけるシリンダをスリーブ装着状態で示した側面図である。
【図８】正規キーを示す側面図である。
【図９】正規キーのキーブレード部分を示す斜視図である。
【図１０】キーブレードを図８中の矢印Ａ−Ａにおいて切断した断面図である。
【図１１】４種類のハーフタンブラを並べて正面側から示す正面図である。
【図１２】キー未挿入時におけるシリンダを図６中の矢印Ｂ−Ｂにおいて切断した断面図である。
【図１３】正規キー挿入時におけるシリンダを図７中の矢印Ｃ−Ｃにおいて切断した断面図である。
【発明を実施するための形態】
【００２４】
以下、本発明を実施するための最良の形態について図面等を参照して説明する。
【００２５】
（第１実施形態）
図１は、本発明によるシリンダ錠の実施形態を示す分解図である。
図２は、キー未挿入時におけるシリンダをスリーブ未装着状態で示した前側斜視図である。
図３は、キー未挿入時におけるシリンダをスリーブ装着状態で示した前側斜視図である。
図４は、正規キー挿入時におけるシリンダをスリーブ未装着状態で示した前側斜視図である。
図５は、正規キー挿入時におけるシリンダをスリーブ装着状態で示した前側斜視図である。
図６は、キー未挿入時におけるシリンダをスリーブ装着状態で示した側面図である。
図７は、正規キー挿入時におけるシリンダをスリーブ装着状態で示した側面図である。
図８は、正規キーを示す側面図である。
図９は、正規キーのキーブレード部分を示す斜視図である。
図１０は、キーブレードを図８中の矢印Ａ−Ａにおいて切断した断面図である。
図１１は、４種類のハーフタンブラを並べて正面側から示す正面図である。図１１（ａ）は、第１のタンブラ５１を示し、図１１（ｂ）は、第２のタンブラ５２を示し、図１１（ｃ）は、第３のタンブラ５３を示し、図１１（ｄ）は、第４のタンブラ５４を示している。
図１２は、キー未挿入時におけるシリンダを図６中の矢印Ｂ−Ｂにおいて切断した断面図である。
図１３は、正規キー挿入時におけるシリンダを図７中の矢印Ｃ−Ｃにおいて切断した断面図である。
【００２６】
なお、これら各図には、説明と理解を容易にするために、ｘｙｚ直交座標系を設けた。この座標系では、キーの挿入される向きをｚプラス方向、図１における下向きをｙプラス方向、図１における手前向きをｘプラス方向とする。図１及び図９は、他の図とは見る向きが逆になっている点に注意を要する。また、以下の説明中において、便宜上、ｚマイナス側を前、ｚプラス側を後、ｙプラス側を上、ｙマイナス側を下、ｘプラス側を右、ｘマイナス側を左として説明を行う。
また、これら各図は、模式的に示した図であり、各部の大きさ、形状は、理解を容易にするために、適宜誇張して示している。
さらに、以下の説明では、具体的な数値、形状、材料等を示して説明を行うが、これらは、適宜変更することができる。
【００２７】
本発明に係るシリンダ錠１は、車両や建物のドア等に使用されるものであって、非正規キーによる解錠を防ぐためにフリーホイール方式を採用している。このシリンダ錠１は、ホルダ２と、スリーブ３と、シリンダ４と、複数のタンブラ５と、出力部材６と、クラッチ機構（１４，１５，１６）とを備えている。
【００２８】
ホルダ２は、略円筒状に成形された部品であって、その内部には、シリンダ錠１を構成する各種部品が収容されている。このホルダ２の外周側部からは、取り付けステー２Ａが一体にｘマイナス方向に延びている。この取り付けステー２Ａには、シリンダ錠１を不図示のハンドル等に取り付けるための不図示のボルトが挿通するための切欠き円状のボルト挿通孔２ａが形成されている。
【００２９】
ホルダ２の後端部の外周左側には、後方に向かって開口する縦断面略矩形の収納部２ｂ（不図示）が形成されている。また、ホルダ２の後端部の外周下部（図１上では、座標が逆さまになっていることから上方に描かれている）には、係止部２ｃが形成されている。さらに、ホルダ２の後端部の外周の左方には、内周側（右側）へ向けて突出した回転規制突起２ｄ（不図示）が形成されている。さらに、ホルダ２には、一対のストッパ８が嵌合するための周方向に細長い一対の嵌合孔２ｅが形成されている。なお、ホルダ２の後端部の外周左側には、収納部２ｂに連通する前後方向に長い保持孔２ｆ（不図示）が形成されている。この保持孔２ｆには、後述のピン状の連結解除部材１５が嵌合保持されている。
【００３０】
スリーブ３は、ホルダ２内に回動可能に収容された円筒状の被係合部材であって、その相対向する上下には、左右２段のロック溝３ａが前後方向に適当な間隔で複数形成されている。これらのロック溝３ａは、後述のようにタンブラ５が径方向外方（上方）に移動して図１２に示すように係合することによって、タンブラ５を保持するシリンダ４のスリーブ３に対する回転を阻止する機能を果たす。
【００３１】
また、スリーブ３の後端部の外周左側（ｘマイナス側）には、連結解除部材１５の右側部分（ｘプラス側部分）が嵌合するための縦断面半円状の嵌合溝３ｂが前後方向に沿って形成されている。また、スリーブ３の後端部外周には、嵌合溝３ｃが形成されている。
【００３２】
シリンダ４は、スリーブ３内に回転可能に収容される円筒状の部材であって、その前端部外周には、鍔部４ａが一体に形成されており、前端開口部には、キャップ９が装着されている。スリーブ３は、ホルダ２とシリンダ４との間に回転可能に配置されているが、スリーブ３の後端部外周に形成された嵌合溝３ｃに一対のストッパ８が嵌合することによって、スリーブ３の軸方向の抜けが防がれている。なお、キャップ９の中央部には横方向に長い矩形のキー挿入孔９ａが形成されている。
【００３３】
シリンダ４とキャップ９との間には、シャッタ１７と、シャッタスプリング１８と、スプリング軸１９と、シリンダキャップ２０とが配置されている。
シャッタ１７は、正規キー３０が挿入されていないときにキー挿入孔９ａを塞ぎ、正規キー３０が挿入されると、正規キー３０に押されてキー挿入経路から退避するようシリンダ４の前端部に装着されている。
シャッタスプリング１８は、スプリング軸１９が挿入されてこれに保持されており、キー挿入孔９ａを塞ぐ向きにシャッタ１７を付勢している。
スプリング軸１９と、シャッタスプリング１８を保持した状態でシリンダ４の前端部に装着されている。
シリンダキャップ２０は、キー挿入孔９ａと対応する開口部２０ａを有しており、シャッタ１７と、シャッタスプリング１８と、スプリング軸１９とを覆うようにしてシリンダ４の前端部に装着されている。
【００３４】
シリンダ４上方には、複数（タンブラ５の数と同数（本実施形態では、１６個））のタンブラ挿入孔４ｃが前後方向に適当な間隔で並べて形成されている。
【００３５】
さらに、シリンダ４の後端中心部からは、小径の軸部４Ａが後方に向かって一体に突設されており、この軸部４Ａの基端部の左側（ｘマイナス側）には、係合溝４ｄが形成されている。また、軸部４Ａの後端部外周には、嵌合溝４ｅが形成されている。
【００３６】
ここで、本実施形態のシリンダ錠１に用いられるシリンダ錠用キーとして正規に作成されたものを、正規キー３０として説明する。正規キー３０は、キー挿入孔９ａに対して挿入される時の上下方向の向きが規定されており、上下逆では、解錠できない構成となっている。正規キー３０を示した図８から図１０中には、シリンダ錠１に対して正規の向きで正規キー３０が挿入されたときの座標系を、シリンダ錠１の座標系と合わせて示している。
【００３７】
正規キー３０は、キーブレード３１と、持ち手部３２とを有している。
キーブレード３１は、略矩形形状に延在しており、第１の係合部３１ａと、第２の係合部３１ｂと、第３の係合部３１ｃと、第４の係合部３１ｄとを有している。
【００３８】
第１の係合部３１ａは、キーブレード３１の右面側（ｘプラス側の面：第１の面側）に長手方向に沿って延在しており、第１のキーコードを形成している。本実施形態の第１の係合部３１ａは、下方が開放された外溝形状に形成されている。
【００３９】
第２の係合部３１ｂは、キーブレード３１の右面側（ｘプラス側の面：第１の面側）に長手方向に沿って延在しており、第１のキーコードとは異なる第２のキーコードを形成している。本実施形態の第２の係合部３１ｂは、第１の係合部３１ａとは異なり、上下に壁がある内溝形状に形成されている。
【００４０】
第３の係合部３１ｃは、キーブレード３１の左面側（ｘマイナス側の面：第２の面側）に長手方向に沿って延在しており、第１のキーコード及び第２のキーコードとは異なる第３のキーコードを形成している。本実施形態の第３の係合部３１ｃは、下方が開放された外溝形状に形成されている。
【００４１】
第４の係合部３１ｄは、キーブレード３１の左面側（ｘマイナス側の面：第２の面側）に長手方向に沿って延在しており、第１のキーコード及び第２のキーコード及び第３のキーコードとは異なる第４のキーコードを形成している。本実施形態の第４の係合部３１ｄは、第３の係合部３１ｃとは異なり、上下に壁がある内溝形状に形成されている。
【００４２】
第１の係合部３１ａと第２の係合部３１ｂとは、キーブレード３１の右面側において上下に並んで前後方向に延在している。これと同様に第３の係合部３１ｃと第４の係合部３１ｄとは、キーブレード３１の左面側において上下に並んで前後方向に延在している。よって、各係合部の位置としては、キーブレード３１の上下幅の全体を利用することができる上、それぞれの係合部内では、上下方向の高低差が少なくなっている。よって、従来問題となっていた隣り合うタンブラの係合部の段違い（高さの差）に生じる制約も少なくなり、鍵違いの数を飛躍的に多くすることが可能である。
【００４３】
シリンダ錠１に戻って、タンブラ５は、板状の部材であって、本実施形態のシリンダ錠１では、１６枚のタンブラ５を有している。これら１６枚のタンブラ５は、第１のタンブラ５１と、第２のタンブラ５２と、第３のタンブラ５３と、第４のタンブラ５４との４種類に分類される。
【００４４】
第１のタンブラ５１は、スプリング受部５１ａと、キー係合部５１ｂと、突出部５１ｃとを有しており、シリンダ４内の右側において上下方向に移動可能なように配置されている。
スプリング受部５１ａは、シリンダ４との間でスプリング１０を圧縮させた状態で挟むようにしてスプリング１０から上方（径方向外方）への付勢力を受けるように右側に突出して形成されている。
キー係合部５１ｂは、キーブレード３１の第１の係合部３１ａに係合するように左側に突出して形成されている。
突出部５１ｃは、第１のタンブラ５１の上方に突出して形成されている。突出部５１ｃは、正規キー３０が挿入されていないときには、スプリング１０の付勢力により第１のタンブラ５１が上方（径方向外方）に移動していることから、スリーブ３のロック溝３ａ内に突出してスリーブ３と係合している（図１２参照）。一方、正規キー３０が挿入されて第１の係合部３１ａがキー係合部５１ｂと係合して第１のタンブラ５１を下方に押し下げると、突出部５１ｃは、ロック溝３ａから退避して、スリーブ３との係合が解除される（図１３参照）。
【００４５】
第２のタンブラ５２は、スプリング受部５２ａと、キー係合部５２ｂと、突出部５２ｃとを有しており、シリンダ４内の右側において上下方向に移動可能なように配置されている。
スプリング受部５２ａは、シリンダ４との間でスプリング１０を圧縮させた状態で挟むようにしてスプリング１０から上方（径方向外方）への付勢力を受けるように右側に突出して形成されている。
キー係合部５２ｂは、キーブレード３１の第２の係合部３１ｂに係合するように左側に突出して形成されている。
突出部５２ｃは、第２のタンブラ５２の上方に突出して形成されている。突出部５２ｃは、正規キー３０が挿入されていないときには、スプリング１０の付勢力により第２のタンブラ５２が上方（径方向外方）に移動していることから、スリーブ３のロック溝３ａ内に突出してスリーブ３と係合している。一方、正規キー３０が挿入されて第２の係合部３１ｂがキー係合部５２ｂと係合して第２のタンブラ５２を下方に押し下げると、突出部５２ｃは、ロック溝３ａから退避して、スリーブ３との係合が解除される。
【００４６】
第３のタンブラ５３は、スプリング受部５３ａと、キー係合部５３ｂと、突出部５３ｃとを有しており、シリンダ４内の左側において上下方向に移動可能なように配置されている。
スプリング受部５３ａは、シリンダ４との間でスプリング１０を圧縮させた状態で挟むようにしてスプリング１０から上方（径方向外方）への付勢力を受けるように左側に突出して形成されている。
キー係合部５３ｂは、キーブレード３１の第３の係合部３１ｃに係合するように右側に突出して形成されている。
突出部５３ｃは、第３のタンブラ５３の上方に突出して形成されている。突出部５３ｃは、正規キー３０が挿入されていないときには、スプリング１０の付勢力により第３のタンブラ５３が上方（径方向外方）に移動していることから、スリーブ３のロック溝３ａ内に突出してスリーブ３と係合している。一方、正規キー３０が挿入されて第３の係合部３１ｃがキー係合部５３ｂと係合して第３のタンブラ５３を下方に押し下げると、突出部５３ｃは、ロック溝３ａから退避して、スリーブ３との係合が解除される。
【００４７】
第４のタンブラ５４は、スプリング受部５４ａと、キー係合部５４ｂと、突出部５４ｃとを有しており、シリンダ４内の左側において上下方向に移動可能なように配置されている。
スプリング受部５４ａは、シリンダ４との間でスプリング１０を圧縮させた状態で挟むようにしてスプリング１０から上方（径方向外方）への付勢力を受けるように左側に突出して形成されている。
キー係合部５４ｂは、キーブレード３１の第４の係合部３１ｄに係合するように右側に突出して形成されている。
突出部５４ｃは、第４のタンブラ５４の上方に突出して形成されている。突出部５４ｃは、正規キー３０が挿入されていないときには、スプリング１０の付勢力により第４のタンブラ５４が上方（径方向外方）に移動していることから、スリーブ３のロック溝３ａ内に突出してスリーブ３と係合している（図１２参照）。一方、正規キー３０が挿入されて第４の係合部３１ｄがキー係合部５４ｂと係合して第４のタンブラ５４を下方に押し下げると、突出部５４ｃは、ロック溝３ａから退避して、スリーブ３との係合が解除される（図１３参照）。
【００４８】
なお、図１２及び図１３の断面例では、第１のタンブラ５１及び第４のタンブラ５４が示されており、第２のタンブラ５２及び第３のタンブラ５３が示されていないが、これは断面の一例を示したに過ぎず、キーコードの組合せによって、様々なタンブラの組み合わせがキーの挿入方向に沿って並ぶこととなる。よって、第１のタンブラ５１の左側に第３のタンブラ５３が配置される場合もあるし、第４のタンブラの右側に第２のタンブラ５２が配置されることもあるし、第２のタンブラ５２の左側に第３のタンブラ５３が配置されることもある。
これら第１のタンブラ５１と、第２のタンブラ５２と、第３のタンブラ５３と、第４のタンブラ５４との組合せは、キーブレード３１に設けられた第１の係合部３１ａと、第２の係合部３１ｂと、第３の係合部３１ｃと、第４の係合部３１ｄとによりそれぞれ形成される各キーコードに合わせて適切な位置に適切な組合せで配置されている。よって、正規キー３０が挿入されると、全てのタンブラ５が下方に押し下げられて、全てのタンブラ５とスリーブ３との係合が解除される。
【００４９】
出力部材６は、略円板状の部材であって、その外周から径方向外方へと一体に延びるアーム部６Ａを有している。このアーム部６Ａの先端には、円孔６ａが形成されており、この円孔６ａには、円筒状のクッションラバー１１が嵌め込まれている。そして、このアーム部６Ａの円孔６ａには、不図示のロッドの一端がクッションラバー１１を介して連結されており、ロッドの他端は、不図示のロック機構に連結されている。なお、ロッドのアーム部６Ａへの連結箇所のガタや異音の発生は、クッションラバー１１によって防がれる。
【００５０】
出力部材６の中心部には、円孔６ｂが形成されている。この円孔６ｂがシリンダ４の前記軸部４Ａに挿通することによって、出力部材６は、シリンダ４の軸部４Ａに回動可能に支持されている。シリンダ４の軸部４Ａに形成された嵌合溝４ｅにＣリング１２が取り付けられることによって、出力部材６のシリンダ４の軸部４Ａからの抜けが防がれている。出力部材６の外周には、リターンスプリング１３が設けられている。出力部材６が中立位置（初期位置）にあるときは、出力部材６の外周部上に形成された係止部６ｃは、ホルダ２の係止部２ｃと周方向に重なって位置する。この出力部材６の係止部６ｃ及びホルダ２の係止部２ｃの左右両端にリターンスプリング１３の径方向外方に延びる一端部１３ａと他端部１３ｂが係止され、出力部材６がリターンスプリング１３によって中立位置に保持される。また、出力部材６を前方から見て右回り向きに回すと、リターンスプリング１３の他端部１３ｂはホルダ２の係止部２ｃのみに係合し、一端部１３ａが出力部材６の係止部６ｃのみに係合する状態となり、出力部材６は、リターンスプリング１３によって中立位置に向けて付勢される。逆に、出力部材６を前方から見て左回り向きに回すと、リターンスプリング１３の一端部１３ａは、ホルダ２の係止部２ｃのみに係合し、他端部１３ｂが出力部材６の係止部６ｃのみに係合する状態となり、出力部材６は、リターンスプリング１３によって中立位置に向けて付勢される。
【００５１】
また、出力部材６の前面側の左右には、係合溝６ｄが形成されている。
【００５２】
本実施形態のシリンダ錠１は、クラッチ機構として、連結部材１４と、連結解除部材１５と、弾性部材１６と有している。
【００５３】
連結部材１４は、シリンダ４と出力部材６とを連結したり連結解除したりするための略円板状の部材である。連結部材１４は、その中心部に、左右方向に長い長孔１４ａが形成されている。この長孔１４ａの内周左側（ｘマイナス側）には、シリンダ４の軸部４Ａに形成された係合溝４ｄに対して係脱するシリンダ連結部１４ｂが右側（ｘプラス側）に向かって突設されている。また、連結部材１４の後面（出力部材６に対向する面）の左右には、ブロック状の係合突起１４ｃが突設されている。
【００５４】
連結部材１４の前面（シリンダ４に対向する面）には、円弧状のスライド壁１４ｄが形成されており、連結部材１４の左側（ｘマイナス側）には、円弧曲面状の係合部１４ｅが内面側に向かって一体に形成されている。
【００５５】
さらに、連結部材１４の左側（ｘマイナス側）には、回転規制突起２ｄと係合可能な形状の回転規制部１４ｆが一体に突設されている。
【００５６】
連結部材１４は、その中心部に形成された長孔１４ａがシリンダ４の軸部４Ａに通されることによって、軸方向においてシリンダ４と出力部材６との間に配置されている。また、連結部材１４は、シリンダ４の軸部４Ａによって回転可能かつ左右方向（径方向のうちｘ軸に沿った方向）に移動可能に支持されている。そして、連結部材１４は、これに突設された左右の係合突起１４ｃが出力部材６の左右に形成された係合溝６ｄに係合することによって、出力部材６と一体的に回転するように出力部材６に連結されている。
【００５７】
連結解除部材１５は、ホルダ２の後端左側に形成された保持孔２ｆ（不図示）に保持されており、その右半部は、通常はスリーブ３の外周左側に形成された嵌合溝３ｂに嵌合している。連結解除部材１５の軸方向一端中心部には小径の突起１５ａが突設されている。この突起１５ａは、連結部材１４の係合部１４ｅとスライド壁１４ｄとの間の空間に臨んでおり、径方向において係合部１４ｅに係合している。
【００５８】
弾性部材１６は、ゴム等の弾性変形可能な弾性材によって矩形ブロック状に成形されている。弾性部材１６は、ホルダ２の後端左側に形成された収納部２ｂ（不図示）に収納されており、連結解除部材１５をスリーブ３の嵌合溝３ｂに押圧している。
【００５９】
次に、本発明に係るシリンダ錠１の作用を正規キー３０挿入時と非正規挿入時についてそれぞれ説明する。
【００６０】
１）正規キー３０挿入時
キャップ９に形成されたキー挿入孔９ａからシリンダ４に正規キー３０が差し込まれていない状態では、図１２に示すように、シリンダ４に保持された複数（１６枚）のタンブラ５（５１，５２，５３，５４）は、スプリング１０の付勢力によって径方向外方（上方向）に移動しており、その突出部（５１ｃ，５２ｃ，５３ｃ，５４ｃ）がシリンダ４の外周面から突出してスリーブ３の左右一対のロック溝３ａに係合している。
【００６１】
したがって、シリンダ４に正規キー３０が差し込まれていない状態では、シリンダ４は、スリーブ３に対して回動不能状態にある。この状態では、シリンダ錠１が施錠状態にあり、出力部材６に連結された不図示のロック装置は、ロック状態にある。
【００６２】
この施錠状態にあるシリンダ錠１のキャップ９のキー挿入孔９ａからシリンダ４に正規キー３０を差し込むと、この正規キー３０の各係合部（第１の係合部３１ａ，第２の係合部３１ｂ，第３の係合部３１ｃ，第４の係合部３１ｄ）が各タンブラ５のキー係合部（５１ｂ，５２ｂ，５３ｂ，５４ｂ）にそれぞれ係合して、全てのタンブラ５をスプリング１０の付勢力に抗して径方向内方（下方）へと移動させる。これにより、全てのタンブラ５がシリンダ４内に没入し、シリンダ４がスリーブ３に対して回動可能となる。このとき、連結部材１４のシリンダ連結部１４ｂは、シリンダ４の軸部４Ａに形成された係合溝４ｄに係合しているため、シリンダ４と連結部材１４とは連結状態にある。また、連結部材１４のアーム部１４Ａの左側に形成された回転規制部１４ｆは、ホルダ２とは係合していない。
【００６３】
正規キー３０が回転することにより、シリンダ４が回転すると、このシリンダ４の軸部４Ａに形成された係合溝４ｄに連結部材１４のシリンダ連結部１４ｂが係合してシリンダ４と連結部材１４が連結状態にあるため、シリンダ４の回転が連結部材１４へと伝達され、この連結部材１４に連結された出力部材６が連結部材１４とともに回転する。このため、出力部材６に不図示のロッドを介して連結された不図示のロック装置のロックが解除され、シリンダ錠１が正常に解錠される。
【００６４】
ここで、上記解錠動作においては、シリンダ４のみが回転し、スリーブ３が回転しないため、連結解除部材１５は、移動しない。また、前述のように連結解除部材１５の突起１５ａは、連結部材１４の係合部１４ｅとスライド壁１４ｄとの間の空間に臨み、連結部材１４の回転規制部１４ｆは、ホルダ２と係合していないので、連結部材１４及び出力部材６が回転可能となっている。
【００６５】
２）非正規キー挿入時
シリンダ錠１のキャップ９のキー挿入孔９ａからシリンダ４に非正規キーを差し込んだとしても、全てのタンブラ５は、径方向内方へと移動しないで図１２に示すようにシリンダ４から突出してスリーブ３のロック溝３ａに係合したままであるため、シリンダ４を単独で回転させることができない。この状態で非正規キーをシリンダ４とともに強引に回すと、スリーブ３がシリンダ４とともに回転する。このとき、連結解除部材１５は、ホルダ２の保持孔２ｆに保持されて回転しないため、スリーブ３の嵌合溝３ｂの連結解除部材１５との嵌合が外れ、連結解除部材１５は、スリーブ３の嵌合溝３ｂ以外の外周面によって左向き（ｘマイナス向き）に押圧され、弾性部材１６を弾性変形（圧縮変形）させながら左方（径方向外方）に移動する。
【００６６】
上述したように、連結解除部材１５の突起１５ａは、連結部材１４の係合部１４ｅに係合している。よって、連結解除部材１５が左方に移動すると、連結解除部材１５が連結部材１４を左方へと移動させる。すると、連結部材１４のシリンダ連結部１４ｂがシリンダ４の軸部４Ａに形成された係合溝４ｄから左方へ離脱して両者の係合が解除されるため、シリンダ４と連結部材１４との連結が解除される。これにより、シリンダ４とスリーブ３だけが空回りするフリーホイール状態となり、シリンダ４の回転が連結部材１４及び出力部材６に伝達されず、不図示のロック装置のロック状態が維持されて当該シリンダ錠１の解錠が阻止される。このため、非正規キーを用いた盗難行為が確実に防がれる。
【００６７】
また、連結部材１４が左方に移動すると、回転規制部１４ｆも左方に移動して、ホルダ２の回転規制突起２ｄに係合する。よって、連結部材１４とこれに連結された出力部材６を回転させようとしても、連結部材１４の回転規制部１４ｆがホルダ２の回転規制突起２ｄに係合して連結部材１４とこれに連結された出力部材６の回転が規制される。
【００６８】
以上説明したように、本実施形態によれば、タンブラ５をハーフタンブラとし、さらに、これを第１のタンブラ５１と、第２のタンブラ５２と、第３のタンブラ５３と、第４のタンブラ５４との４種類にして、それぞれを異なる４種類のキーコードに対応させた。よって、シリンダ錠１及び正規キー３０は、全長も外径も大きくすることなく、鍵違い数を従来と比べて飛躍的に多くすることができる。
【００６９】
（変形形態）
以上説明した実施形態に限定されることなく、種々の変形や変更が可能であって、それらも本発明の範囲内である。
【００７０】
（１）本実施形態において、正規キー３０に形成された第１から第４の係合部は、内溝形状と外溝形状とを組み合わせた形態を例に挙げて説明した。しかし、これら第１から第４の係合部は、タンブラ５を押す係合部としての機能を有していればよいので、例えば、全ての係合部を内溝形状に形成してもよいし、内溝形状であってもタンブラを押さない側の壁面は、係合側（タンブラを押す側）の壁面とは異なる形態になっていてもよい。
【００７１】
（２）本実施形態において、シリンダ錠１は、スリーブ３を被係合部材としたフリーホイール方式を採用している例を挙げて説明した。これに限らず、例えば、ホルダを被係合部材としてクラッチ機構を持たない従来からの通常方式のシリンダ錠に本発明を適用してもよい。
【００７２】
なお、実施形態及び変形形態は、適宜組み合わせて用いることもできるが、詳細な説明は省略する。また、本発明は、以上説明した実施形態によって限定されることはない。
【符号の説明】
【００７３】
１      シリンダ錠
２      ホルダ
２Ａ    取り付けステー
２ａ    ボルト挿通孔
２ｂ    収納部
２ｃ    係止部
２ｄ    回転規制突起
２ｅ    嵌合孔
２ｆ    保持孔
３      スリーブ
３ａ    ロック溝
３ｂ    嵌合溝
３ｃ    嵌合溝
４      シリンダ
４Ａ    軸部
４ａ    鍔部
４ｃ    タンブラ挿入孔
４ｄ    係合溝
４ｅ    嵌合溝
５      タンブラ
５１    第１のタンブラ
５１ａ  スプリング受部
５１ｂ  キー係合部
５１ｃ  突出部
５２    第２のタンブラ
５２ａ  スプリング受部
５２ｂ  キー係合部
５２ｃ  突出部
５３    第３のタンブラ
５３ａ  スプリング受部
５３ｂ  キー係合部
５３ｃ  突出部
５４    第４のタンブラ
５４ａ  スプリング受部
５４ｂ  キー係合部
５４ｃ  突出部
６      出力部材
６Ａ    アーム部
６ａ    円孔
６ｂ    円孔
６ｃ    係止部
６ｄ    係合溝
８      ストッパ
９      キャップ
９ａ    キー挿入孔
１０    スプリング
１１    クッションラバー
１２    Ｃリング
１３    リターンスプリング
１３ａ  一端部
１３ｂ  他端部
１４    連結部材
１４Ａ  アーム部
１４ａ  長孔
１４ｂ  シリンダ連結部
１４ｃ  係合突起
１４ｄ  スライド壁
１４ｅ  係合部
１４ｆ  回転規制部
１５    連結解除部材
１５ａ  突起
１６    弾性部材
１７    シャッタ
１８    シャッタスプリング
１９    スプリング軸
２０    シリンダキャップ
２０ａ  開口部
３０    正規キー
３１    キーブレード
３１ａ  第１の係合部
３１ｂ  第２の係合部
３１ｃ  第３の係合部
３１ｄ  第４の係合部
３２    持ち手部
【図１】
2015105491.tif 000003
【図２】
2015105491.tif 000004
【図３】
2015105491.tif 000005
【図４】
2015105491.tif 000006
【図５】
2015105491.tif 000007
【図６】
2015105491.tif 000008
【図７】
2015105491.tif 000009
【図８】
2015105491.tif 000010
【図９】
2015105491.tif 000011
【図１０】
2015105491.tif 000012
【図１１】
2015105491.tif 000013
【図１２】
2015105491.tif 000014
【図１３】
2015105491.tif 000015